(57)【要約】【課題】シャッタ地板の開口端部に機械加工を施すことなく、エッジ形状を設けたフォーカルプレーンシャッタを提供する。【解決手段】フォーカルプレーンシャッタ３００は、開口部３０１Ｈを有する地板３０１と、開口部３０５Ｈを有するカバー板３０５と、開口部３０１Ｈに配置された遮光シート部材３０６を有する。遮光シート部材３０６の端部３０６Ａから光軸中心Ｚまでの距離は、地板３０１の開口部３０１Ｈ側の端部３０１Ａ及びカバー板３０５の開口部３０５Ｈ側の端部３０５Ａから光軸中心Ｚまでの距離よりも短く、且つ、遮光シート部材３０６の端部３０６Ａは、遮光シート部材３０６の折り曲げ部３０６Ｂのシート面３０６Ｄと材厚面とが交差するエッジ部３０６Ｃを備え、このエッジ部３０６Ｃで撮影光束を遮る。【選択図】図３
2011141366.tif 000002
【特許請求の範囲】
【請求項１】
第１の開口部を有する樹脂製の第１の地板と、
第２の開口部を有する第２の地板と、
前記第１の開口部に配置される遮光シート部材と、
前記第１の開口部及び前記第２の開口部を遮光する羽根群とを備え、
被写体側から、前記遮光シート部材、前記第１の地板、前記羽根群、前記第２の地板の順または前記第１の地板、前記遮光シート部材、前記羽根群、前記第２の地板の順で配置されてなるフォーカルプレーンシャッタであって、
前記遮光シート部材において、前記第１の開口部に突出した端部から前記フォーカルプレーンシャッタの光軸中心までの距離は、前記第１の開口部の端部及び前記第２の開口部の端部から前記光軸中心までの距離よりも短く、且つ、前記遮光シート部材を折り曲げることで、前記第１の開口部に突出した端部をエッジ形状に形成することを特徴とするフォーカルプレーンシャッタ。
【請求項２】
第１の開口部を有する樹脂製の第１の地板と、
第２の開口部を有する第２の地板と、
第３の開口部を有する仕切り板と、
前記第１の開口部に配置される遮光シート部材と、
前記第２の開口部と前記第３の開口部とを遮光する先羽根群と、
前記第１の開口部と前記第２の開口部とを遮光する後羽根群と、を備え、
被写体側から、前記遮光シート部材、前記第１の地板、前記仕切り板、前記第２の地板の順または前記第１の地板、前記遮光シート部材、前記仕切り板、前記第２の地板の順で配置され、前記先羽根群と前記後羽根群がそれぞれ、前記第１の地板と前記第２の地板の間において前記仕切り板によって離間して配置されているフォーカルプレーンシャッタであって、
前記遮光シート部材において、前記第１の開口部に突出した端部から前記フォーカルプレーンシャッタの光軸中心までの距離は、前記第１の開口部の端部と前記第２の開口部の端部と前記第３の開口部の端部から前記光軸中心までの距離よりも短く、且つ、前記遮光シート部材を折り曲げることで、前記第１の開口部に突出した端部をエッジ形状に形成することを特徴とするフォーカルプレーンシャッタ。
【発明の詳細な説明】
【技術分野】
【０００１】
本発明は、デジタルカメラ等の撮像装置等に用いられるフォーカルプレーンシャッタに関する。
【背景技術】
【０００２】
デジタルカメラにおいては、撮影レンズを通して入射した光束は、撮影領域に対応する受光領域に対して垂直な光軸に略平行に入射するのが理想である。しかしながら、実際のデジタルカメラの交換レンズはさまざまな焦点距離を持っており、光軸に平行に入射せず、撮影領域に対応する受光面以外に光束が広がるものもある。この場合、入射した光束は光路上の様々な部品に反射しながら撮像素子に入射することになる。その結果として、撮像素子に特に近いフォーカルプレーンシャッタにおいては、その開口部の端部で反射した光束が、入射光を電荷に変換する複数の光電変換素子に跨って入射するために、本来の色表現ができなくなる。
【０００３】
このような問題を解決するために、被写体側から、地板、仕切り板、カバー板の順で配置したフォーカルプレーンシャッタでは、地板の開口端部を仕切り板の開口端部およびカバー板の開口端部よりも光軸中心まで延長している。すなわち、地板の開口端部で仕切り板の開口端部およびカバー板の開口端部を覆ってしまうことで、レンズから射出した光束を切り板の開口端部およびカバー板の開口端部に到達させないようにしている（例えば、特許文献１参照）。
【０００４】
特許文献１に記載されたフォーカルプレーンシャッタはさらに、地板の開口端部をエッジ状とすることで、地板の開口端部に光束が当たっても反射が極めて少なくなるように構成されている。また、特許文献１に記載されたフォーカルプレーンシャッタでは、地板を樹脂製としながら、その開口端部をエッジ状に形成している。
【先行技術文献】
【特許文献】
【０００５】
【特許文献１】特開２００９−０４２４４９号公報
【発明の概要】
【発明が解決しようとする課題】
【０００６】
しかしながら、地板を樹脂によって形成する場合には、型による成形では開口端部がエッジ状とならず、開口端部に機械加工を施して、開口端部をエッジ状としている。
【０００７】
本発明は上記課題に鑑みてなされたものであり、シャッタ地板の開口端部に機械加工を施すことなく、エッジ形状を設けたフォーカルプレーンシャッタを提供することを目的とする。
【課題を解決するための手段】
【０００８】
上記目的を達成するため、本発明のフォーカルプレーンシャッタは、第１の開口部を有する樹脂製の第１の地板と、第２の開口部を有する第２の地板と、前記第１の開口部に配置される遮光シート部材と、前記第１の開口部及び前記第２の開口部を遮光する羽根群とを備え、被写体側から、前記遮光シート部材、前記第１の地板、前記羽根群、前記第２の地板の順または前記第１の地板、前記遮光シート部材、前記羽根群、前記第２の地板の順で配置されてなるフォーカルプレーンシャッタであって、前記遮光シート部材において、前記第１の開口部に突出した端部から前記フォーカルプレーンシャッタの光軸中心までの距離は、前記第１の開口部の端部及び前記第２の開口部の端部から前記光軸中心までの距離よりも短く、且つ、前記遮光シート部材を折り曲げることで、前記第１の開口部に突出した端部をエッジ形状に形成することを特徴とする。
【発明の効果】
【０００９】
本発明によれば、シャッタ地板の開口端部に機械加工を施すことなく、エッジ形状を設けたフォーカルプレーンシャッタを提供することが可能になる。
【図面の簡単な説明】
【００１０】
【図１】本発明の実施形態に係るフォーカルプレーンシャッタを有するデジタルカメラの概略構造を示す図である。
【図２】図１のデジタルカメラに入射する光束の説明図である。
【図３】図１のデジタルカメラにおける、フォーカルプレーンシャッタと撮像素子ユニットの要部を示す断面図である。
【図４】本発明の実施形態に係るフォーカルプレーンシャッタの分解斜視図である。
【図５】本発明の実施形態に係るフォーカルプレーンシャッタの開口部近傍の斜視図である。
【図６】本発明の実施形態に係るフォーカルプレーンシャッタの断面図であって、図５に示されるＥ−Ｅ断面図である。
【図７】図３に示した遮光シート部材に設けられる折り曲げ部の好ましい形態を説明する図である。
【図８】図６に示した遮光シート部材に設けられる折り曲げ部の好ましい形態を説明する図である。
【図９】入射光と、折り曲げ部を有しない遮光シート部材を備えた参考例としてのフォーカルプレーンシャッタと、撮像素子ユニットとの関係を示す図である。
【発明を実施するための形態】
【００１１】
以下、本発明の実施形態について、図面を参照しながら詳細に説明する。
【００１２】
＜第１実施形態＞
図１は本発明の第１実施形態に係るフォーカルプレーンシャッタを有するデジタルカメラの概略構造を示す図である。図１には、デジタルカメラの本体１の外形が破線で示されている。デジタルカメラの本体１には、交換レンズユニット２が着脱可能となっている。交換レンズユニット２は、レンズ６００と、絞り機構（不図示）等を備えている。図１に示されるＺ軸は光軸中心（以下「光軸中心Ｚ」と記す）であり、光軸中心Ｚは、レンズ６００の中心を通る光軸である。
【００１３】
本体１には、フォーカルプレーンシャッタ３００と、光電変換機能を有する固体撮像素子を備えた撮像素子ユニット１００が配設されている。レンズ６００が集光した被写体の被写体像は、フォーカルプレーンシャッタ３００が開かれることで、撮像素子ユニット１００に結像する。撮像素子ユニット１００は、先に図１１を参照して説明した撮像素子ユニット１００と同じであるので、ここでの詳細な説明は省略する。
【００１４】
フォーカルプレーンシャッタ３００は、本体１で設定されているシャッタ速度に基づいて制御され、撮像素子ユニット１００に結像した被写体像は、光電変換された後に、所定の信号処理と画像処理が施され、画像データとしてメモリ（不図示）に記憶される。
【００１５】
なお、デジタルカメラが備えるその他の一般的な機構については、図示と説明を省略する。また、図１では、レンズ６００を１枚のみ示しているが、レンズは複数枚のレンズで構成されていてもよい。
【００１６】
図２は、図１のデジタルカメラに入射する光束の説明図である。図２には、被写体Ｘからの光束（破線）と、レンズ６００の入射瞳６０１と、レンズ６００の射出瞳６０２と、フォーカルプレーンシャッタ３００の開口部３００Ａとの関係が模式的に示されている。被写体Ｘからの光束（点線）は、レンズ６００を通過して、フォーカルプレーンシャッタ３００の開口部３００Ａの近傍に達している。
【００１７】
図２に示されるフォーカルプレーンシャッタ３００の開口部３００Ａの近傍を含む範囲Ｃについて、図３〜図８を参照して詳細に説明する。
【００１８】
図３は、フォーカルプレーンシャッタ３００と撮像素子ユニット１００の要部を示す断面図である。図４は、フォーカルプレーンシャッタ３００の分解斜視図である。図５は、フォーカルプレーンシャッタ３００の開口部３００Ａの近傍の斜視図である。図６は、フォーカルプレーンシャッタ３００の断面図であり、図５に示されるＥ−Ｅ断面図である。
【００１９】
なお、図３は図５に示したＤ−Ｄ断面を示しており、図６は図５に示したＥ−Ｅ断面を示しており、図５に示したＦ−Ｆ断面とＧ−Ｇ断面の要部は、ほぼＥ−Ｅ断面と同じとなるので、ここでの詳細な図示を省略する。また、図３〜６において、同一部材には同一符号を付している。
【００２０】
図３〜６に示されるように、フォーカルプレーンシャッタ３００は、第１の地板としての地板３０１と、第１のスペーサ３０２と、仕切り板３０３と、第２のスペーサ３０４と、第２の地板としてのカバー板３０５と、遮光シート部材３０６，３０７を備える。また、フォーカルプレーンシャッタ３００は、先羽根群４１０と後羽根群４２０とを備える。
【００２１】
第１のスペーサ３０２、仕切り板３０３、第２のスペーサ３０４、カバー板３０５及び遮光シート部材３０６の各端部から光軸中心Ｚまでの距離は、端部３０６Ａ＜端部３０２Ａ＜端部３０３Ａ＜端部３０４Ａ＜端部３０５Ａとなっている（図３参照）。また、仕切り板３０３、カバー板３０５及び遮光シート部材３０７の各端部から光軸中心Ｚまでの距離は、端部３０７Ａ＜端部３０３Ａ＜端部３０５Ａとなっている（図６参照）。但し、本発明はこのような構成に限定されるものではない。
【００２２】
地板３０１は第１の開口部としての開口部３０１Ｈを有し、カバー板３０５は第２の開口部としての開口部３０５Ｈを有し、仕切り板３０３は第３の開口部としての開口部３０３Ｈを有する。これらの開口部３０１Ｈ，３０３Ｈ，３０５Ｈが、フォーカルプレーンシャッタ３００の開口部３００Ａとなる。
【００２３】
地板３０１は、被写体側から第１のスペーサ３０２、仕切り板３０３、第２のスペーサ３０４及びカバー板３０５をこの順に所定の間隔を空けて保持する。また、地板３０１は、フォーカルプレーンシャッタ３００の不図示の部品を保持する。地板３０１は、合成樹脂製で、開口部３０１Ｈ側の端部３０１Ａにエッジは設けられていない。
【００２４】
仕切り板３０３の開口部３０３Ｈとカバー板３０５の開口部３０５Ｈの遮光に用いられる先羽根群４１０の走行スペースは、第２のスペーサ３０４と仕切り板３０３の間に形成されている。また、地板３０１の開口部３０１Ｈと仕切り板３０３の開口部３０３Ｈの遮光に用いられる後羽根群４２０の走行スペースは、第１のスペーサ３０２と仕切り板３０３の間に形成されている。このように、先羽根群４１０と後羽根群４２０は、仕切り板３０３によって離間されており、先羽根群４１０と後羽根群４２０の走行時に干渉が発生しない構成となっている。
【００２５】
カバー板３０５はフォーカルプレーンシャッタ３００の後ろ側（撮像素子ユニット１００側）のカバーを構成し、図４に示されるように、ビス４０８，４０９により地板３０１に固定される。
【００２６】
遮光シート部材３０６は、矩形の形状を有し、地板３０１の羽根先端開口側（後羽根群４２０の先端側に対応する開口側）の被写体側に、接着剤等で取り付けられている。遮光シート部材３０７は、略コの字型の形状を有し、地板３０１の羽根先端開口側を除く開口部Ｈの３辺の撮像素子ユニット１００側に、接着剤等で取り付けられている。
【００２７】
遮光シート部材３０６は、図３に示されるように、開口部３０１Ｈの近傍で撮像素子ユニット１００側に折り曲げられて形成された折り曲げ部３０６Ｂを有しており、その端部３０６Ａは開口部３０１Ｈへ突出している。折り曲げ部３０６Ｂのシート面３０６Ｄと材厚面である端部３０６Ａとは交差しており（ここでは直交しているものとする）、この直交したエッジ部３０６Ｃで撮影光束を遮ることができるようになっている。したがって、開口部３０１Ｈに突出した遮光シート部材３０６の端部をエッジ形状に形成することができる。
【００２８】
このような構造では、折り曲げ部３０６Ｂの端部３０６Ａに入射光があたらず、端部３０６Ａでの反射が極めて起こり難い。また、射出瞳６０２から入射する光束Ｂが、折り曲げ部３０６Ｂのシート面３０６Ｄにあたるが、その反射光束Ｒ１は撮像素子ユニット１００には直接入射しない。よって、混色現象とゴーストの発生が抑制される。
【００２９】
図７は、遮光シート部材３０６に設ける折り曲げ部３０６Ｂの好ましい形態を説明する図である。図７において、角度β１は、光軸中心Ｚと平行な入射光束Ｉがエッジ部３０６Ｃの近傍のシート面３０６Ｄで反射し、その反射光束Ｒ３が撮像素子ユニット１００の有効画素領域１２７にぎりぎり入射しない角度（つまり、最小角度）である。図７には、シート面３０６Ｄの法線Ｎ１と、入射光束Ｉのシート面３０６Ｄへの入射角α１と、反射光束Ｒ３の反射角α１ａが示されている。
【００３０】
シート面３０６Ｄでの反射に起因する混色現象とゴーストの発生を抑制するためには、折り曲げ部３０６Ｂの光軸中心Ｚに対する角度を、角度β１以上（前述した最小角度以上）とし、且つ、端部３０６Ａに射出瞳６０２から入射する光束Ａ（図３参照）があたらない角度に設定することが好ましい。
【００３１】
遮光シート部材３０７は、図６に示されるように、開口部３０１Ｈの近傍で被写体側に折り曲げられて形成された折り曲げ部３０７Ｂを有しており、その端部３０７Ａは開口部３０１Ｈへ突出している。折り曲げ部３０７Ｂのシート面３０７Ｄと材厚面である端部３０７Ａとは直交しており、その直交したエッジ部３０７Ｃで撮影光束を遮ることができるようになっている。したがって、開口部３０１Ｈに突出した遮光シート部材３０７の端部をエッジ形状に形成することができる。
【００３２】
このような構造では、シート面３０７Ｄには入射光があたらないために、反射が極めて起こり難い。また、射出瞳６０２から入射する光束Ｑが、折り曲げ部３０７Ｂの材厚面である端部３０７Ａにあたるが、反射光束Ｒ２は撮像素子ユニット１００には直接入射しない。よって、混色現象とゴーストの発生が抑制される。
【００３３】
図８は遮光シート部材３０７に設ける折り曲げ部３０７Ｂの好ましい形態を説明する図である。図８において、角度α２は、光軸中心Ｚと平行な入射光束Ｉがエッジ部３０７Ｃの近傍の端部３０７Ａで反射し、その反射光束Ｒ４が撮像素子ユニット１００の有効画素領域１２７にぎりぎり入射しない角度（つまり、最大角度）である。図８には、端部３０７Ａの法線Ｎ２と、反射光束Ｒ４の反射角α２ａが示されている。
【００３４】
端部３０７Ａでの反射に起因する混色現象とゴーストの発生を抑制するためには、折り曲げ部３０７Ｂの光軸中心Ｚに対する角度を、角度α２以下（前述した最大角度以下）、且つ、シート面３０７Ｄに射出瞳６０２から入射する光束Ａ（図３参照）があたらない角度に設定することが好ましい。
【００３５】
遮光シート部材３０６，３０７のエッジ部３０６Ｃ，３０７Ｃは、型で簡単に切り出せるため、エッジを鋭く安定して保つことができる。こうして、型の状態（型締め圧のバラツキ、ショット数が多くなった後等）や成形条件によってエッジが安定しなくなる問題や、先端部がショートしてエッジが鈍ることに起因する反射の発生してしまう問題の発生を回避することができる。
【００３６】
次に、仮に、遮光シート部材３０６，３０７が開口部３０１Ｈの近傍で折れ曲げられずに、仕切り板３０３と同様に光軸中心Ｚに対してほぼ垂直に配置された場合について説明する。図９は、折り曲げ部を有しない遮光シート部材を遮光シート部材３０６に代えて備えた参考例としてのフォーカルプレーンシャッタと、撮像素子ユニット１００との関係を示す図である。
【００３７】
図９に示される遮光シート部材３０８の端部３０８Ａは、地板３０１の開口部３０１Ｈ側の端部３０１Ａよりも光軸中心Ｚに向かって突出している。このような構造では、端部３０８Ａにレンズ６００（図３参照）からの光束Ｑがあたり、端部３０８Ａで反射した光束Ｒ５が、撮像素子ユニット１００に直接入射して、混色現象とゴーストが引き起こされる。
【００３８】
なお、デジタルカメラでは、光源が近い撮影でのゴーストは、あるピンポイント位置でのみ生じることが知られている。そのため、スチル撮影での撮影画像にゴーストが出ることは稀で、図９に示した遮光シート部材３０８のように配置しても、従来は、実用上、大きな問題とはなっていなかった。
【００３９】
しかしながら、最近のデジタルカメラでは、所謂、ライブビュー機能や動画撮影機能が盛込まれるようになってきている。このような機能を用いた場合、光源が連続的に移動する画像が観察、記録される為、ゴーストが発生するピンポイントを通過しやすくなり、ゴーストが目立つようになる。
【００４０】
また、遮光シート部材３０８は、最も薄いもので約３０μｍの厚さがあり、カーボンブラックが含有された合成樹脂シートの母材に遮光塗料を塗布したものが用いられる。しかし、僅か３０μｍの厚さであっても、型で鋭利にカットされた端部３０８Ａでの反射光束Ｒ２は目立ってしまい、これが混色現象とゴーストの原因となる。
【００４１】
これに対し、本第１実施形態に係るフォーカルプレーンシャッタ３００を備えたデジタルカメラでは、上述の通りに、反射光が撮像素子ユニット１００の有効画素領域１２７に入射しない。これにより、ライブビュー機能や動画撮影機能の使用時でも、ゴーストが目立つことがない。
【００４２】
次に、遮光シート部材３０６，３０７の各形状と、第１のスペーサ３０２、仕切り板３０３、第２のスペーサ３０４及びカバー板３０５の各形状との関係について説明する。
【００４３】
混色現象とゴーストの発生を抑制するためには、第１のスペーサ３０２、仕切り板３０３、第２のスペーサ３０４及びカバー板３０５の各端部３０２Ａ，３０３Ａ，３０４Ａ，３０５Ａで入射光の反射が生じないようにする必要がある。
【００４４】
そこで、図３に示されるように、遮光シート部材３０６のエッジ部３０６Ｃから光軸中心Ｚまで距離を、仕切り板３０３の端部３０３Ａから光軸中心Ｚまでの距離及びカバー板３０５の端部３０５Ａから光軸中心Ｚまでの距離よりも短く設定している。また、遮光シート部材３０６のエッジ部３０６Ｃから光軸中心Ｚまでの距離を、第１のスペーサ３０２の端部３０２Ａから光軸中心Ｚまでの距離及び第２のスペーサ３０４の端部３０４Ａから光軸中心Ｚまでの距離よりも短く設定している。
【００４５】
更にこれらの距離設定では、各端部３０２Ａ，３０３Ａ，３０４Ａ，３０５Ａを、射出瞳６０２の外側６０２Ａと地板３０１の端部３０１Ａを結ぶ直線（光束Ａ）よりも外側（光軸中心Ｚから遠ざかる方向）に位置させている。これにより、射出瞳６０２から入射する光束は、遮光シート部材３０６のエッジ部３０６Ｃに遮られ、各端部３０２Ａ，３０３Ａ，３０４Ａ，３０５Ａにはあたらない。こうして、フォーカルプレーンシャッタ３００では、各端部３０２Ａ，３０３Ａ，３０４Ａ，３０５Ａでの反射によって撮像素子ユニット１００の有効画素領域１２７に到達する光がないため、混色現象とゴーストの発生が抑制される。
【００４６】
また、この効果は、遮光シート部材３０６のエッジ部３０６Ｃが有効光束を遮らないぎりぎりの位置まで光軸中心Ｚに近付けられ、且つ、各端部３０２Ａ，３０３Ａ，３０４Ａ，３０５Ａと光軸中心Ｚとの距離が長くなるほど大きくなる。つまり、射出瞳６０２からの光束の入射角が大きくなっても、各端部３０２Ａ，３０３Ａ，３０４Ａ，３０５Ａで反射が生じることを抑制することができる。
【００４７】
同様に、混色現象とゴーストの発生を抑制する効果は、遮光シート部材３０７のエッジ部３０７Ｃが有効光束を遮らないギリギリの位置まで光軸中心Ｚに近付けられ、且つ、各端部３０３Ａ，３０５Ａと光軸中心Ｚとの距離が長くなるほど大きくなる（図６参照）。
【００４８】
さて、一般的にデジタルカメラで撮像される画像は横長の長方形となっており、これに伴って、フォーカルプレーンシャッタ３００の開口部３００Ａも横長の長方形となっている（図４参照）。そのため、開口部３００Ａの開口面（光軸中心Ｚと直交する面）に対する入射光の光束の入射角は、上下（長辺）側に入射する光束よりも、左右（短辺）側に入射する光束の方が大きい。そのために、開口部３００Ａの左右に到達する光束の方が、混色現象とゴーストを発生させやすい。
【００４９】
そこで、本第１実施形態では、上述の通り、開口部３００Ａの左右方向（被写体から見て右側にあたる、遮光シート部材３０６が配設されている部分）に入射する光束について説明した。但し、開口部３００Ａの上下方向においても、図３に示される構成を採用することで、同様の効果が得られることは言うまでもない。
【００５０】
デジタルカメラのフォーカルプレーンシャッタにおいて、その開口部の上側と下側での反射光の発生に起因して混色現象とゴーストが発生する原因としては、以下のことが考えられる。第１に、先羽根群が走行中であり、且つ、後羽根群が待機している状態では、開口部の上側に起因する混色現象とゴーストが発生すると考えられる。第２に、先羽根群が走行完了状態にあり、且つ、後羽根群が待機している状態（開口部が遮光されず全開放された状態）では、開口部の上側と下側の両方に起因する混色現象とゴーストが発生すると考えられる。第３に、先羽根群が走行完了状態にあり、且つ、後羽根群が走行中である状態では、開口部の下側に起因する混色現象とゴーストが発生すると考えられる。
【００５１】
本第１実施形態に係るフォーカルプレーンシャッタ３００は、これらの各状態に起因する混色現象とゴーストの発生を抑制するために、以下の構成を備えている。
【００５２】
フォーカルプレーンシャッタ３００の開口部３００Ａの上側では、被写体側から見て、遮光シート部材３０７のエッジ部３０７Ｃから光軸中心Ｚまでの距離が、走行待機状態における後羽根群４２０、仕切り板３０３及びカバー板３０５の各端部から光軸中心Ｚまでの距離よりも短くなっている。
【００５３】
同様に、開口部３００Ａの下側では、遮光シート部材３０７のエッジ部３０７Ｃから光軸中心Ｚまでの距離が、仕切り板３０３、走行完了状態での先羽根群４１０及びカバー板３０５の各端部から光軸中心Ｚまでの距離よりも短くなっている。
【００５４】
なお、ここでの「待機状態における後羽根群４２０の端部」及び「走行完了状態における先羽根群４１０の端部」とは、露光の際にスリットを形成する端部を指す。
【００５５】
＜その他の実施形態＞
本発明は上記の第１実施形態に限定されるものではない。
【００５６】
例えば、第１実施形態では、第１のスペーサ３０２、仕切り板３０３、第２のスペーサ３０４及びカバー板３０５の各端部３０２Ａ，３０３Ａ，３０４Ａ，３０５Ａの光軸中心Ｚに対する位置をずらすことで、これらの端部での反射の発生を防止した。
【００５７】
これに対し、第１のスペーサ３０２、仕切り板３０３、第２のスペーサ３０４及びカバー板３０５の各端部３０２Ａ，３０３Ａ，３０４Ａ，３０５Ａを揃えて、これらの端部から光軸中心Ｚまでの距離を同じにする。その上で、各端部３０２Ａ，３０３Ａ，３０４Ａ，３０５Ａから光軸中心Ｚとの距離が、遮光シート部材３０６のエッジ部３０６Ｃから光軸中心Ｚまでの距離よりも長くする。このとき、これらの距離設定では、各端部３０２Ａ，３０３Ａ，３０４Ａ，３０５Ａを、射出瞳６０２の外側６０２Ａと地板３０１の端部３０１Ａを結ぶ直線である光束Ａ（図３参照）よりも外側（光軸中心Ｚから遠ざかる方向）に位置させる。
【００５８】
このような構成によっても、第１のスペーサ３０２、仕切り板３０３、第２のスペーサ３０４及びカバー板３０５の各端部３０２Ａ，３０３Ａ，３０４Ａ，３０５Ａでの反射の発生が防止されるため、混色現象とゴーストの発生が抑制される。
【００５９】
これと同様に、例えば、仕切り板３０３とカバー板３０５の端部３０３Ａ，３０５Ａを揃えて、端部３０３Ａ，３０５Ａから光軸中心Ｚまでの距離を、遮光シート部材３０７のエッジ部３０７Ｃから光軸中心Ｚまでの距離よりも長く設定してもよい。
【００６０】
上記第１実施形態では、遮光シート部材３０６，３０７に折り曲げ部３０６Ｂ，３０７Ｂを設け、そのエッジ部３０６Ｃ、３０７Ｃが入射する光束を遮るようにした。これに限られず、フォーカルプレーンシャッタ３００の開口部３００Ａの各辺に独立して短冊状の遮光シート部材を角度をつけて地板３０１に保持させることで、エッジ部３０６Ｃ、３０７Ｃと同様の状態を実現させてもよい。
【００６１】
また、遮光シート部材３０６，３０７には、合成樹脂シートを用いなければならないものではなく、例えば、金属薄板に黒色反射防止の表面処理を施した材料を用いてもよい。
【００６２】
更に、第１実施形態では、フォーカルプレーンシャッタ３００は、先羽根群４１０と後羽根群４２０を備えるとした。これに限られず、本発明は、露光秒時を固体撮像素子で行う電子シャッタを用い、電荷読み出し時の遮光を行う１つの羽根群を備えた構成のシャッタにも適用することができる。その場合には、第１のスペーサ３０２、仕切り板３０３及び第２のスペーサ３０４は不要である。
【００６３】
更にまた、本発明を構成する各種部品の寸法や形状、これらの相対配置等は、本発明の範囲内において、本発明が適用される装置の構成や各種条件により、適宜変更することができる。
【符号の説明】
【００６４】
１    （デジタルカメラの）本体
２      交換レンズユニット
１００    撮像素子ユニット
１２０    ローパスフィルター
１２５    遮光マスク
１２６    固体撮像素子
１２７    有効画素領域
１２８    カバーガラス
３００    フォーカルプレーンシャッタ
３０１    地板（第１の地板）
３０２    第１のスペーサ
３０３    仕切り板
３０４    第２のスペーサ
３０５    カバー板（第２の地板）
３０６，３０７    遮光シート部材
３０６Ａ，３０７Ａ  遮光シート部材の端部
３０６Ｃ，３０７Ｃ  遮光シート部材のエッジ部
４１０    先羽根群
４２０    後羽根群
６００    レンズ
【図１】
2011141366.tif 000003
【図２】
2011141366.tif 000004
【図３】
2011141366.tif 000005
【図４】
2011141366.tif 000006
【図５】
2011141366.tif 000007
【図６】
2011141366.tif 000008
【図７】
2011141366.tif 000009
【図８】
2011141366.tif 000010
【図９】
2011141366.tif 000011